(57)【要約】      （修正有）【課題】交流電源とＬＥＤ光源装置の間に、従来の白熱灯用調光器とＬＥＤ用調光器とを直列に挿入することで、白熱灯の代わりにＬＥＤ光源を使用することができるＬＥＤ調光システムを提供する。【解決手段】白熱灯用の調光器に整流回路、自動整合回路、アナログ−デジタル変換回路及びパルス幅変調回路を組み合わせることで、ＬＥＤ光源装置の輝度の調整を行うことができるＬＥＤ光源用調光装置を構成する。白熱灯用の調光器は、調光信号を生成する。整合回路は調光器に接続され、調光信号を受信して全波整流を行い、最低出力電流をもつ整合信号に変換する。アナログ−デジタル変換回路は整合回路に接続され、整合信号を受信して正の半周期の正弦波をもつ変換信号に変換する。パルス幅変調回路はアナログ−デジタル変換回路に接続され、変換信号を受信し安定した出力電流をもつパルス幅変調信号を生成する。最後に、ＬＥＤ光源装置はこのＬＥＤ調光装置に接続され、このパルス幅変調信号を受信して輝度の調整を行うことができる。【選択図】図５
0003158700.tif 000002
【実用新案登録請求の範囲】
【請求項１】
交流電源と接続され、交流電源信号を受信して前記交流電源信号に基づいて調光信号を生成する調光器と、
前記調光器と接続され、前記調光信号を受信して前記調光信号に対して整流を行い整流信号を生成する整流回路と、
前記整流回路と接続され、前記整流信号を受信して前記整流信号に対して信号の整合を行い整合信号を生成し、前記整合信号は前記整流信号と同じ波形を有し、且つ前記整合信号は最低出力電流値を有し、前記最低出力電流値は０度より大きい導通角の出力電流値となる整合回路と、
前記整合回路と接続され、前記整合信号を受信して前記整合信号に対して信号変換を行い、正の半周期の正弦波をもつ変換信号を形成するアナログ−デジタル変換回路と、
前記アナログ−デジタル変換回路と接続され、前記変換信号を受信し前記変換信号に基づいてパルス幅変調信号を生成し、前記パルス幅変調信号をＬＥＤ光源装置に送信して前記ＬＥＤ光源装置の発光を駆動させるパルス幅変調回路とを含むことを特徴とするＬＥＤ調光装置。
【請求項２】
前記整合回路は、前記整流信号に全波整流を行い前記整合信号を発生させ、且つ前記整合信号は、前記整流信号と同じ作動周期及び同じ最大出力電圧レベルを有し、且つ前記最低出力電流値は、前記アナログ−デジタル変換回路又は前記パルス幅変調回路の最低作動電流値より高く、前記変換信号は、前記整合信号と同じ作動周期及び同じ最大出力電圧レベルを有し、前記パルス幅変調信号は、ＬＥＤ光源装置の駆動電圧より高い出力電圧レベルと所定の出力電流値とを有することを特徴とする、請求項１に記載のＬＥＤ調光装置。
【請求項３】
さらに前記パルス幅変調回路と前記ＬＥＤ光源装置に接続される所定電流駆動回路を含み、
前記所定電流駆動回路は、前記パルス幅変調信号を受信し、所定電流駆動信号を出力し、前記ＬＥＤ光源装置を駆動させ、前記パルス幅変調信号の作動周期比例に基づいて、前記所定電流駆動信号の電流値を調整することを特徴とする、請求項１に記載のＬＥＤ調光装置。
【請求項４】
調光器に接続され、前記調光器の調光信号を受信して前記調光信号を整合信号に変換し、前記整合信号は最低出力電流値を有し、前記最低出力電流値は０度より大きい導通角の出力電流値に固定される整合回路と、
前記整合回路と接続され、前記整合信号を受信して前記整合信号に対して信号変換を行い、正の半周期の正弦波をもつ変換信号を形成するアナログ−デジタル変換回路と、
前記アナログ−デジタル変換回路と接続され、前記変換信号を受信し前記変換信号に基づいてパルス幅変調信号を生成するパルス幅幅変調回路とを含むことを特徴とするＬＥＤ調光回路。
【請求項５】
交流電源と接続され、交流電源信号を受信し、調光角度に基づいて調光信号を生成させる調光器と、
前記調光器と接続され、前記調光信号に基づいてパルス幅変調信号を発生させるＬＥＤ調光回路とを含むＬＥＤ調光装置であって、
該ＬＥＤ調光装置は、前記ＬＥＤ調光回路と接続され、前記パルス幅変調信号に基づいてＬＥＤ光源を駆動させ、
前記ＬＥＤ調光回路は、
前記調光器と接続され、前記調光器の前記調光信号を受信すると共に、前記調光信号を整合信号に変換し、且つ前記整合信号は最低出力電流値を有し、前記最低出力電流値は０度より大きい導通角の出力電流値に固定される整合回路と、
前記整合回路と接続され、前記整合信号を受信し前記整合信号を変換し、正の半周期の正弦波波形をもつ変換信号を形成するアナログ−デジタル変換回路と、
前記アナログ−デジタル変換回路と接続され、前記変換信号を受信し、前記変換信号に基づいて前記パルス幅変調信号を発生させるパルス幅変調回路とを含むことを特徴とする、ＬＥＤ調光装置。
【考案の詳細な説明】
【技術分野】
【０００１】
本考案は調光装置に関し、特にＬＥＤ光源の調光装置に関する。
【背景技術】
【０００２】
科学技術が進歩し、省エネ・節電が流行するにつれて、各種照明器具及び各種の新しい光源は、例えば従来の白熱電球から最新の白色ＬＥＤ電球に至るまで絶え間なく発展している。これらの光源の応用範囲が、例えば舞台照明や家庭照明等のように広がっていくに従って、光線の明暗のレベルを調整することができる各種の調光装置も広範囲に使用されるようになってきている。しかし、各種の異なる光源の駆動方式は異なるため、これらの調光装置も各種光源に適用させるために改良しなければならない。
【０００３】
白熱光源のような従来の光源は、一般的に使用寿命が１０００時間以上であり、現在最も幅広く使用されている光源である。一般家庭や商業用照明に、この種の従来の光源はよく使われている。ＬＥＤ（Ｌｉｇｈｔ  Ｅｍｉｔｔｉｎｇ  Ｄｉｏｄｅ、発光ダイオード）光源のような新型の光源は、１０００００時間以上の長い使用寿命をもち、しかも、節電できる、反応時間が短いといった利点を同時に具えている。省エネ・二酸化炭素削減の流行につれ、ＬＥＤ光源も一般の人々の間で人気を博してきている。
【０００４】
図１は、従来の光源装置の調光装置のモジュールの概略図である。従来の調光装置１は主に従来の光源装置１２に対して光源輝度の調整を行い、前記従来の光源装置１２は一般的に白熱光源をその光源としている。従来の光源装置１２は、交流電源（交流電源信号）等の交流信号を直接用いて発光を駆動することができる。従って、交流電源１０と従来の光源装置１２の間に調光器１１を更に取り付ければ、この調光器１１を用いて従来の光源装置１２に対して光源輝度の調整を行うことができるようになる。
【０００５】
一般的に言うと、調光器１１はＴＲＩＡＣ（ＴＲＩｏｄｅ  ｆｏｒ  Ａｌｔｅｒｎａｔｉｎｇ  Ｃｕｒｒｅｎｔ）又はＳＣＲ（Ｓｉｌｉｃｏｎ  Ｃｏｎｔｒｏｌｌｅｄ  Ｒｅｃｔｉｆｉｅｒ）にすることができ、入力する交流電源の電流の大きさ、電圧の大きさ、又は位相を調整することによって、従来の光源装置１２の発光輝度を調整する目的を達することができる。従来の光源装置１２は交流信号を直接利用して駆動を行うので、調光器１１から出力される信号も交流信号である。
【０００６】
図２は、従来のＬＥＤ光源装置の調光装置のモジュールの概略図である。ＬＥＤ光源装置２４は、発光ダイオード（ＬＥＤ）をその光源にした装置である。ＬＥＤ光源は直流電源によってのみ発光を駆動することができるため、従来の光源のように、交流電源（交流電源信号）を直接用いて発光を駆動することができない。従って、交流電源１０及びＬＥＤ光源装置２４の間に更にアナログ−デジタル変換回路２１を設置することで交流電源信号を直流電源信号に変換し、ＬＥＤ光源装置２４を順調に駆動することができるようになる。しかし、現在市販されている変換回路、例えば白熱電球用の安定器などは、電源信号変換の機能を備えておらず、一般の人々は、従来の光源である白熱光源を新型のＬＥＤ光源に直接切替えることができない。
【０００７】
また、ＬＥＤ光源装置２４の発光を単純に駆動するだけでは使用者の需要を完全には満たすことができないため、家庭や舞台上で使用する使用者の需要に合わせるために、調光の機能を更に加える必要がある。図１に示す調光器１１の後（右）端には、図２に示すように、従来のＬＥＤ調光回路２５を更に接続し、それにより交流信号を直流信号に変換してＬＥＤ光源装置２４に対して調光を行うことができるようになる。従来のＬＥＤ調光回路２５及び調光器１１を組み合わせることで、従来のＬＥＤ調光装置２を構成することができ、且つ従来のＬＥＤ調光回路２５は、アナログ−デジタル（交流−直流）変換回路２１、パルス幅変調回路２２及びパルス幅変調信号制御回路２３を含む。
【０００８】
従来のＬＥＤ調光装置２の調光器１１は、交流電源１０に接続され、交流電源１０の交流電源信号を受信して交流電源１０の電流、電圧又は位相の調整を行い、調光信号を形成する。アナログ−デジタル変換回路２１は、調光器１１に接続され、調光器１１の調光信号を受信して交流と直流の変換を行い、直流の変換信号を形成する。パルス幅変調回路２２は、アナログ−デジタル変換回路２１及びパルス幅変調信号制御回路２３に接続され、アナログ−デジタル変換回路２１の変換信号及びパルス幅変調信号制御回路２３のパルス幅変調制御信号を受信してパルス幅変調信号を形成する。最後に、従来のＬＥＤ光源装置２４は、パルス幅変調回路２２に接続され、パルス幅変調信号を受信してＬＥＤ光源装置２４の発光を駆動する。パルス幅変調回路２２は、一般的に直流−直流変換のパルス幅変調回路２２が多く用いられ、直流の変換信号を受信して変換信号出力の参考電圧レベルとし、且つパルス幅変調信号制御回路２３のパルス幅変調制御信号を受信して変換信号出力の参考作動周期とする。
【０００９】
図３は、従来のＬＥＤ光源装置の調光装置における信号の概略図である。通常、交流電源１０の交流電源信号は正弦波又は余弦波であるが、ここでは正弦波を例にして説明する。図２と図３に示すように、調光器１１が交流電源１０の交流電源信号を受信し、使用者が調光器１１を調整することにより調光信号を生成することができる。一般的に言うと、調光器１１は、交流電源信号の電圧の調整、電流の調整、又は位相の調整等の種類に分けることができるが、ここでは位相を調整する調光器１１を例にする。調光器１１が交流電源１０の交流電源信号を受信し生成する調光信号は、１／４周期が正の半周期と負の半周期にある正弦波波形である。アナログ−デジタル変換回路２１は、この調光信号を受信し、アナログ−デジタル変換回路２１の整流、変圧及びレギュレーター後、直流電圧をもつ変換信号を生成する。パルス幅変調回路２２は、この変換信号を受信し、パルス幅変調信号制御回路２３から送信されたパルス幅変調制御信号を併せることで、パルス幅変調信号を生成する。ＬＥＤ光源装置２４は、このパルス幅変調信号を受信し、ＬＥＤ光源の発光を駆動させる。パルス幅変調回路２２は、パルス幅変調信号の電圧レベル又は通電率（ｄｕｔｙ  ｃｙｃｌｅ）を調整することで、ＬＥＤ光源装置２４の発光輝度を調整することができる。
【００１０】
従来のＬＥＤ光源装置２４では、一般に良く見られる調光器１１を従来の調光回路２５に組み合わせることにより、従来のＬＥＤ調光装置２を形成させることができ、又、パルス幅変調信号を生成してＬＥＤ光源装置２４を駆動させることができる。しかし、使用者が調光器１１に対して調整した導通角が小さすぎると、異なるメーカーブランドや異なる規格の調光器１１から生成される調光信号の電流値も小さくなりすぎるため、アナログ−デジタル変換回路２１がその作動電流の臨界値より低い調光信号を受信すると、アナログ−デジタル変換回路２１から出力される変換信号が安定しなくなる。或いは、パルス幅変調回路２２の受信する変換信号の電流値がパルス幅変調回路２２の作動電流の臨界値より低いと、パルス幅変調回路２２から出力されるパルス幅変調信号は不規則な信号になる。この不規則な変換信号やパルス幅変調信号は、ＬＥＤ光源装置２４が点滅したり点灯できなかったりするといった状況を引き起こす。その他、従来の直流−直流変換のパルス幅変調回路２２は、変圧器の変換コイルを具えていないため隔離効果を具えておらず、従来のＬＥＤ光源装置２４は漏電の問題が起きやすい。
【考案の概要】
【考案が解決しようとする課題】
【００１１】
本考案の目的は、従来の調光器及び本考案のＬＥＤ調光装置を用いることでＬＥＤ光源装置に対して調光を行い、産業の向上を促進させることができるＬＥＤ調光装置を提供することにある。
【課題を解決するための手段】
【００１２】
本考案実施例が提供するＬＥＤ調光装置は、交流電源と接続され、交流電源信号を受信して交流電源信号（調光角度）に基づいて調光信号を生成する調光器と、
前記調光器と接続され、前記調光信号を受信して前記調光信号に対して整流を行い整流信号を生成する整流回路と、
前記調光器と接続され、前記整流信号を受信して前記整流信号に基づいて整合信号を発生し、前記整合信号は前記整流信号と同じ波形を有し、且つ前記整合信号は最低出力電流値を有し、前記最低出力電流値は０度より大きい導通角の出力電流値となる整合回路と、
前記整合回路と接続され、前記整合信号を受信して前記整合信号に対して信号変換を行い、正の半周期の正弦波をもつ変換信号を形成するアナログ−デジタル変換回路と、
前記アナログ−デジタル変換回路と接続され、前記変換信号を受信し前記変換信号に基づいてパルス幅変調信号を生成し、前記パルス幅変調信号をＬＥＤ光源装置に送信して前記ＬＥＤ光源装置の発光を駆動させるパルス幅変調回路とを含む。
【００１３】
本考案実施例が提供するＬＥＤ調光装置は、交流電源と接続され交流電源信号を受信し、調光角度（交流電源信号）に基づいて調光信号を生成させる調光器と、
前記調光器と接続され調光信号に基づいてパルス幅変調信号を発生させるＬＥＤ調光回路とを含むＬＥＤ調光装置であって、
該ＬＥＤ調光装置は、前記ＬＥＤ調光回路と接続され、前記パルス幅変調信号に基づいてＬＥＤ光源を駆動させ、
前記ＬＥＤ調光回路は、
前記調光器と接続され、前記調光器の調光信号を受信すると共に、前記調光信号を整合信号に変換し、且つ前記整合信号は最低出力電流値を有し、前記最低出力電流値は０度より大きい導通角の出力電流値に固定される整合回路と、
前記整合回路と接続され、前記整合信号を受信し前記整合信号を変換し、正の半周期の正弦波波形をもつ変換信号を形成するアナログ−デジタル変換回路と、
前記アナログ−デジタル変換回路と接続され、前記変換信号を受信し、前記変換信号に基づいてパルス幅変調信号を発生させるパルス幅変調回路とを含む。
【考案の効果】
【００１４】
本考案のＬＥＤ調光回路は、ＬＥＤ光源装置の漏電を避けることができるなど、上述した問題を解決することができる。
【図面の簡単な説明】
【００１５】
【図１】従来の光源装置の調光装置のモジュールの概略図である。
【図２】従来のＬＥＤ光源装置の調光装置のモジュールの概略図である。
【図３】従来のＬＥＤ光源装置の調光装置の信号の概略図である。
【図４】本考案実施例１のＬＥＤ調光装置のシステムモジュールの概略図である。
【図５】本考案実施例１のＬＥＤ調光装置の信号の概略図である。
【図６】本考案実施例２のＬＥＤ調光装置のシステムモジュールの概略図である。
【図７】本考案実施例２のＬＥＤ調光装置の信号の概略図である。
【考案を実施するための形態】
【００１６】
本考案の特徴及び技術内容を一層理解できるよう、以下に添付図面を参照しながら本考案の詳細な説明を行う。
【実施例１】
【００１７】
図４は、本考案実施例１のＬＥＤ調光装置のシステムモジュールの概略図である。ＬＥＤ調光装置３は、調光器１１、整流回路４１、自動整合回路（整合回路）４２、アナログ−デジタル（交流−直流）変換回路２１及びパルス幅変調回路４３を具える。
【００１８】
前記調光器１１は、交流電源１０に接続され交流電源信号を受信し、交流電源１０の交流電源信号の電流、電圧又は位相の調整を行い、調光信号を形成する。本実施例では、交流電源信号の位相を変える調光器１１を例にする。整流回路４１は、調光器１１に接続されて調光信号を受信し、調光信号に対して整流を行い、整流信号を生成する。
【００１９】
自動整合回路４２は、整流回路４１に接続され整流信号を受信し、整流信号に対して信号の整合を行い、整合信号を生成する。アナログ−デジタル変換回路２１は、整合回路４２に接続され整合信号を受信し、交流と直流の変換を行い、直流の変換信号を形成する。
【００２０】
パルス幅変調回路４３は、アナログ−デジタル変換回路２１に接続されアナログ−デジタル変換回路２１の変換信号を受信し、変換信号の電圧レベル及び作動周期に基づいて、パルス幅変調信号を形成する。最後に、ＬＥＤ調光装置３は、このパルス幅変調信号を生成することによりＬＥＤ光源装置２４を駆動させる。
【００２１】
整流回路４１は、調光器１１と統合させることも、或いは整合回路４２と統合させることもできるため、整合回路４２は、整流後の調光信号を受信することもできるし、調光信号を直接受信して整合回路４２内部で整流を行うこともできる。又、整流回路４１、整合回路４２、アナログ−デジタル変換回路２１及びパルス幅変調回路４３は、組み合わせてＬＥＤ調光回路４０を構成することができる。その他、調光器１１は、ＴＲＩＡＣ又はＳＣＲ調光器にすることができる。
【００２２】
調光器１１は従来の調光器であり、それは数多くのメーカーブランドと異なる規格が存在し、各種の調光器１１の異なる導通角から生成される調光信号やその出力電流値は全て同じとは限らない。従って、調光器１１は同じ規格をもつ調光信号を生成することができないため、図２の従来のＬＥＤ調光回路２５では、各種の異なる規格の調光器１１一つ一つに対して信号の調整を行わないと、ＬＥＤ光源装置２４をうまく調整することができない。
【００２３】
これに対し、本考案実施例１は自動整合回路４２を用いて、調光器１１の調光信号の変化に基づき調光信号に対し全波整流を行う。更に、調光器１１が比較的低い導通角の時、例えば導通角が２０度より低い時、整合回路４２は出力する電流を固定する。例えば導通角が２０度の時の出力電流値に固定することで、整合信号は、最低出力電流値をもつことができる。それによりアナログ−デジタル変換回路２１又はパルス幅変調回路４３はそれぞれの最低作動電流をもつ整合信号を受信し、アナログ−デジタル変換回路２１又はパルス幅変調回路４３の正常な作動状態を保つことができるようになる。整合回路４２は、あらゆる種類の調光器１１から生成される調光信号に対してその出力電流値の調整を自動的に行うことができるため、あらゆるメーカーブランドやあらゆる規格の調光器１１に適用することができる。
【００２４】
自動整合回路４２は、あらゆる種類の整合回路にすることができる。自動整合回路４２は、主に電圧ユニット（図示せず）、制御ユニット（図示せず）及び電流ユニット（図示せず）の組み合わせを用いて調光信号の整合及び調整を行うことで、調光器１１が全ての位相及び全ての作動電圧において最低作動電流をもつ整合信号を出力することができ、整合回路４２と接続されたアナログ−デジタル変換回路２１及びパルス幅変調回路４３が正常な作動を行うことができる。これにより、ＬＥＤ光源装置２４は正常にその輝度を調整することができるようになる。
【００２５】
その他、本考案実施例１において、ＬＥＤ調光回路４０のパルス幅変調回路４３は交流／直流のパルス幅変調回路４３であり、それはアナログ−デジタル変換回路２１から生成される変換信号を用いて、対応するパルス幅変調信号を生成することができる。つまり、パルス幅変調回路４３は、変換信号の周期をパルス幅変調信号の参考作動周期とし、変換信号の波形変化をパルス幅変調信号の参考出力電圧とする。また、この種の交流-直流変換のパルス幅変調回路４３は、変圧コイルの回路を具えているため、隔離の機能をもつ。つまり、パルス幅変調回路４３前端の信号変化と後端から生成されるパルス幅変調信号は、隔離効果をもつため、ＬＥＤ光源装置２４が漏電するのを避けることができる。
【００２６】
注意する必要があるのは、本考案の実施例１において、ＬＥＤ調光回路４０のパルス幅変調回路４３が出力するパルス幅変調信号は、高電圧且つ所定電流のパルス幅変調信号である点である。パルス幅変調信号の出力電圧はＬＥＤ光源装置２４の駆動電圧より高いため、ＬＥＤ光源装置２４のＬＥＤ発光ダイオードを完全に起動させることができる。しかもパルス幅変調信号は所定電流を出力するため、ＬＥＤ光源装置２４のＬＥＤ発光ダイオードに安定した発光スペクトルを具えさせることができる。従って、本考案実施例１の調光装置４０は、ＬＥＤ光源装置２４を安定駆動させる機能を有し、電流が安定しないことによるＬＥＤ光源の発光スペクトルのドリフトを避けることができる。
【００２７】
図５は、本考案実施例１のＬＥＤ調光装置の信号の概略図である。交流電源１０の交流電源信号は一般的に正弦波または余弦波であり、本実施例では正弦波を例にとる。又、本実施例の調光器１１は、位相調整の調光器１１を例にとる。
【００２８】
図４と図５に示すように、調光器１１は、交流電源１０に接続され、交流電源信号を受信し、この交流電源信号に対して位相の調整を行い、１／４周期が正の半周期と負の半周期にある正弦波波形をもつ調光信号を生成する。整流回路４１は、調光器１１に接続され、調光信号を受信し、信号の整流を行い、負の半周期の信号を正の半周期の信号に変換して、整流信号を生成する。
【００２９】
自動整合回路４２は、整流回路４１に接続され、整流信号を受信し、全波整流を行い、正の半周期の正弦波をもつ波形を生成させる。この整合信号は、整流信号と同じ作動周波数及び同じ最大電圧出力レベルを有している。その他、この整合信号は、最低出力電流値を有する。例えば、調光器１１で２０度より低い導通角に調整された時、出力電流値は２０度の導通角の電流値に固定されるため、後端のアナログ−デジタル変換回路２１及びパルス幅変調回路４３が、最低作動電流値を有する整合信号又は変換信号を受信するのを保障することができる。なお、最低出力電流値は、アナログ−デジタル変換回路２１またはパルス幅変調回路４３の最低作動電流値より高くなっている。
【００３０】
アナログ−デジタル変換回路２１は、自動整合回路４２に接続され、整合信号を受信し、その内部の変圧素子（図示せず）及び整流素子（図示せず）によって、１／２周期が正の半周期にある正弦波波形をもつ変換信号を出力する。この変換信号と整合信号は、同じ作動周期及び同じ最大出力電圧レベルを有する。パルス幅変調回路４３は、アナログ−デジタル変換回路２１に接続され変換信号を受信し、変換信号の最大出力電圧レベル及び作動周期に基づいてパルス幅変調信号を生成する。このパルス幅変調信号は、高電圧及び所定出力電流を有する。高電圧はＬＥＤ光源装置２４の操作電圧より高く、又、所定出力電流はＬＥＤ光源装置２４から生成される発光色度を安定させ、ＬＥＤ光源装置２４の発光スペクトルドリフトを避けることができる。
【００３１】
従って、本考案実施例１のＬＥＤ調光装置３において、調光器１１が最大導通角の時、調光器１１の調光信号は完全な正弦波波形である。整流回路４１は、調光信号の負の半周期を正の半周期に変換して整流信号を生成する。整合回路４２及びアナログ−デジタル変換回路２１は、調光信号と同じ波形の整合信号及び変換信号を生成し、最後にパルス幅変調回路４３から出力されるパルス幅変調信号の波形は直流出力電圧に近づく。逆に、もし調光器１１から出力される調光信号の導通角が小さくなると、図５の調光信号の波形において正弦波波形が占める比率も小さくなり、相対的に、整流信号、整合信号、変換信号の作動周期の比率もそれに従って小さくなり、パルス幅変調信号の作動周期の比率も小さくなる。整合信号及び変換信号は、１／２周期が正の半周期にある正弦波波形を維持する。
【実施例２】
【００３２】
図６は、本考案実施例２のＬＥＤ調光装置のシステムモジュールの概略図である。図７は、本考案実施例２のＬＥＤ調光装置の信号の概略図である。本考案実施例２のＬＥＤ調光装置４は、その主な素子及びその接続関係は図４のＬＥＤ調光装置３とほとんど同じであるが、ＬＥＤ調光装置４は、パルス幅変調回路４３及びＬＥＤ光源装置２４と接続される所定電流駆動回路（定電流駆動回路）６１を更に含む。即ち、ＬＥＤ調光回路６０は、整流回路４１、整合回路４２、アナログ−デジタル変換回路２１、パルス幅変調回路４３及び所定電流駆動回路６１を含む。
【００３３】
所定電流駆動回路６１は所定電流を出力することができる回路であり、それはパルス幅変調回路４３のパルス幅変調信号に基づいて、図７の所定電流駆動信号の出力電流値の調整を行うことができる。パルス幅変調信号の作動周期比率が高い時、所定電流駆動回路６１は比較的高い出力電流値をもつ所定電流駆動信号を出力し、パルス幅変調信号の作動周期比率が低い時、所定電流駆動回路６１は比較的低い出力電流値をもつ所定電流駆動信号を出力する。従って、この所定電流駆動回路６１によって、パルス幅変調信号の作動周期比率に基づき異なる電流値を出力することができ、ＬＥＤ光源装置２４はこの所定電流駆動信号の異なる出力電流値に基づきその発光輝度を調整することができるようになる。この所定電流駆動回路６１が出力する図７の所定電流駆動信号は、所定電流及び高電圧を有する信号である。しかも所定電流駆動信号の高電圧は、ＬＥＤ光源装置２４の操作電圧より高いため、ＬＥＤ光源装置２４の発光スペクトルのドリフトを避けることができる。更には、パルス幅変調回路４３のパルス幅変調信号の信号切り換えによって点滅してしまう問題を避けることができる。
【００３４】
本考案実施例２のＬＥＤ調光装置４は、特に、例えば電気スタンド等のような近距離の光源を提供するＬＥＤ光源装置２４に適用され、それによりパルス幅変調回路４３のパルス幅変調信号が原因による点滅を避けることができ、使用者がこの光源を使用する際のＬＥＤ光源の点滅による目の不快感がなくなる。
【００３５】
上述の実施例は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の精神を逸脱せずに行う各種の同様の効果をもつ改良又は変更は、後述の請求項に含まれるものとする。
【符号の説明】
【００３６】
１                        従来の調光装置
２                        従来のＬＥＤ調光装置
３、４                ＬＥＤ調光装置
１０                      交流電源
１１                      調光器
１２                      従来の光源装置
２１                      アナログ−デジタル（交流−直流）変換回路
２２、４３        パルス幅変調回路
２３                      パルス幅変調信号制御回路
２４                      ＬＥＤ光源装置
２５                      従来のＬＥＤ調光回路
４０、６０        ＬＥＤ調光回路
４１                      整流回路
４２                      整合回路
６１                      所定電流駆動回路（定電流駆動回路）
【図１】
0003158700.tif 000003
【図２】
0003158700.tif 000004
【図３】
0003158700.tif 000005
【図４】
0003158700.tif 000006
【図５】
0003158700.tif 000007
【図６】
0003158700.tif 000008
【図７】
0003158700.tif 000009